(57)【要約】【課題】製造コストを抑えて放射線遮蔽性能を満たすことのできる放射線遮蔽壁を提供する。【解決手段】ＰＣａパネル２を複数並設することによって構成される放射線遮蔽壁１であって、ＰＣａパネル２は、一定の板厚を有した本体部１１と、本体部１１の両端部に本体部１１よりも大きな板厚を有して形成され、隣接するＰＣａパネル２との間に目地材が配設される目地部１２ａ，１２ｂと、を有し、目地部１２ａ，１２ｂの板厚は、ＰＣａパネル２の並設方向に沿い、かつ本体部１１の表面２２，２３に直交する基準平面上において内側となる表面２２から外側の表面２３に至るすべての直線に対して、ＰＣａパネル２を通過する通過長さの総和が、コンクリートで放射線の要求遮蔽性能を満たす最低遮蔽寸法以上となるように構成され、本体部１１の板厚は、最低遮蔽寸法以上であって、目地部１２ａ，１２ｂの板厚より小さい値に設定された。【選択図】図４
2018036200.tif 000002
【特許請求の範囲】
【請求項１】
矩形板状のプレキャストコンクリートパネルを互いに端面を突き合わせて複数並設することによって構成される放射線遮蔽壁であって、
前記プレキャストコンクリートパネルは、一定の板厚を有した本体部と、前記本体部の両端部に前記本体部よりも大きな板厚を有して形成され、隣接するプレキャストコンクリートパネルとの間に目地材が配設される目地部と、を有し、
前記目地部の板厚は、前記プレキャストコンクリートパネルの並設方向に沿い、かつ前記本体部の表面に直交する基準平面上において内側となる表面から外側の表面に至るすべての直線に対して、前記プレキャストコンクリートパネルの部分を通過する通過長さの総和が、コンクリートで放射線の要求遮蔽性能を満たす最低遮蔽寸法以上となるように構成され、
前記本体部の板厚は、前記最低遮蔽寸法以上であって、前記目地部の板厚より小さい値に設定されたものであることを特徴とする放射線遮蔽壁。
【請求項２】
プレキャストコンクリートパネルは、本体部に対して内側となる表面から目地部が突出していることを特徴とする請求項１に記載の放射線遮蔽壁。
【発明の詳細な説明】
【技術分野】
【０００１】
本発明は、放射線遮蔽壁に関するものである。
【背景技術】
【０００２】
従来、放射線遮蔽壁としては、複数のプレキャストコンクリートパネル（以下ＰＣａパネルと記す）を連続させて形成するものがある（例えば特許文献１参照）。この放射線遮蔽壁では、ＰＣａパネルとＰＣａパネルとの間に継ぎ目ができる。継ぎ目に充填される目地材は、ＰＣａパネル部分と比較して放射線遮蔽性能が低い。このため、この種の放射線遮蔽壁では、ＰＣａパネルの板厚が、目地材のみで放射線を遮蔽できる寸法に設定されている。
【先行技術文献】
【特許文献】
【０００３】
【特許文献１】特開２００４−３３３３４５号公報
【発明の概要】
【発明が解決しようとする課題】
【０００４】
しかし、目地材のみで放射線を遮蔽できる寸法は、コンクリートのみで放射線を遮蔽できる寸法より大きくなるため、放射線遮蔽壁が無駄に厚くなり、製造コストが嵩むという問題があった。
【０００５】
本発明は、上記に鑑みてなされたものであって、製造コストを抑えて放射線遮蔽性能を満たすことのできる放射線遮蔽壁を提供することを目的とする。
【課題を解決するための手段】
【０００６】
上述した課題を解決し、目的を達成するために、本発明に係る放射線遮蔽壁は、矩形板状のプレキャストコンクリートパネルを互いに端面を突き合わせて複数並設することによって構成される放射線遮蔽壁であって、前記プレキャストコンクリートパネルは、一定の板厚を有した本体部と、前記本体部の両端部に前記本体部よりも大きな板厚を有して形成され、隣接するプレキャストコンクリートパネルとの間に目地材が配設される目地部と、を有し、前記目地部の板厚は、前記プレキャストコンクリートパネルの並設方向に沿い、かつ前記本体部の表面に直交する基準平面上において内側となる表面から外側の表面に至るすべての直線に対して、前記プレキャストコンクリートパネルの部分を通過する通過長さの総和が、コンクリートで放射線の要求遮蔽性能を満たす最低遮蔽寸法以上となるように構成され、前記本体部の板厚は、前記最低遮蔽寸法以上であって、前記目地部の板厚より小さい値に設定されたものであることを特徴とする。
【０００７】
また、本発明に係る放射線遮蔽壁においては、プレキャストコンクリートパネルは、本体部に対して内側となる表面から目地部が突出しているとよい。
【発明の効果】
【０００８】
これらの構成によれば、プレキャストコンクリートパネルの並設方向に沿い、かつ本体部の表面に直交する基準平面上において内側となる表面から外側の表面に至るすべての直線に対して、プレキャストコンクリートパネルを通過する通過長さの総和が、最低遮蔽寸法以上となるように目地部を形成しているので、幾何的な計算によって目地部の板厚を容易に算出することができる。しかも、プレキャストコンクリートパネルの本体部については、最低遮蔽寸法以上であって目地部の板厚より小さい寸法に設定しているので、プレキャストコンクリートパネル全体のコンクリート量が少なくて済み、製造コストを抑えることができる。
【図面の簡単な説明】
【０００９】
【図１】図１は、本発明の実施形態に係る放射線遮蔽壁を示した背面図である。
【図２】図２は、図１に示した放射線遮蔽壁のＡ−Ａ線断面図である。
【図３】図３は、図１に示した放射線遮蔽壁を構成するプレキャストコンクリートパネルを示す斜視図である。
【図４】図４は、図２に示した放射線遮蔽壁の要部を示す要部拡大断面図である。
【発明を実施するための形態】
【００１０】
以下に添付図面を参照して、本発明に係る放射線遮蔽壁の好適な実施形態について詳細に説明する。図１及び図２に示すように、放射線遮蔽壁１は、複数のプレキャストコンクリートパネル（以下ＰＣａパネルと記す）２の端面同士を突き合わせるように並設して構成したものである。
【００１１】
ＰＣａパネル２は、コンクリートを用いて工場生産されたプレキャストコンクリート製品であり、外形が長方形状となるように構成している。ＰＣａパネル２は、図３に示すように、本体部１１と目地部１２ａ，１２ｂとを有している。本体部１１は、一定の板厚ｗ１を有した平板状に形成したものである。本体部１１の板厚ｗ１は、ＰＣａパネル２の原材料であるコンクリートによって放射線の要求遮蔽性能を満たす最低遮蔽寸法Ｓに設定してある。この板厚ｗ１は、必ずしも最低遮蔽寸法Ｓに一致している必要はなく、後述する目地部１２ａ，１２ｂの板厚ｗ２よりも小さい値であれば、最低遮蔽寸法Ｓを超える値であっても良い。
【００１２】
目地部１２ａ，１２ｂは、本体部１１の両端部に設けられた厚板部分であり、それぞれが本体部１１の一方の表面２２から突出するように形成してある。目地部１２ａ，１２ｂは、その一方側の表面３１が、本体部１１の他方の表面２３と同一平面上に存在するように形成されている。本体部１１の一方の端部に設けた目地部１２ａは、第一の端面１３と段差面１４と第二の端面１５とを有している。第一の端面１３は、目地部１２ａの一方側の表面３１から他方側の表面３２に向けて本体部１１の延在方向と直交するように形成された平面である。段差面１４は、第一の端面１３の延在方向一端から、図３において上方に向けて、第一の端面１３と直交するように延在している平面である。第二の端面１５は、段差面１４の延在方向一端から、目地部１２ａの表面３２側に向けて、第一の端面１３と平行に延在している平面である。
【００１３】
もう一方の端部に設けた目地部１２ｂは、第一の端面１６と段差面１７と第二の端面１８とを有している。第一の端面１６は、目地部１２ｂの一方側の表面３１から他方側の表面３２に向けて本体部１１の延在方向と直交するように形成された平面である。段差面１７は、第一の端面１６の延在方向一端から、図３において上方に向けて、第一の端面１６と直交する方向に延在している平面である。第二の端面１８は、段差面１７の延在方向一端から、表面３２側に向けて、第一の端面１６と平行に延在している平面である。
【００１４】
目地部１２ａ，１２ｂは、互いに同じ板厚ｗ２であり、２つのＰＣａパネル２の目地部１２ａと目地部１２ｂとを互いに対向させた場合に、第一の端面１３と第一の端面１６とが対向し、段差面１４と段差面１７とが対向し、第二の端面１５と第二の端面１８とが対向する。それぞれの端面の寸法は、互いに等しい間隔を確保して配置することができるように設定してある。
【００１５】
上記のように構成されたＰＣａパネル２は、一方の目地部１２ａと他方の目地部１２ｂとが対向するとともに、目地部１２ａ，１２ｂの突出した部分２１ａ，２１ｂが、放射線源Ｂと対向するように順次並設し、目地部１２ａ，１２ｂの間に目地材３を充填することで放射線遮蔽壁１を構成する。
【００１６】
ここで、目地部１２ａ，１２ｂの板厚ｗ２は、放射線遮蔽壁１を構成した状態、つまり、隣接するパネルの目地部１２ａ，１２ｂを互いに対向させた状態において、ＰＣａパネル２の並設方向に沿い、かつ本体部１１の表面２２，２３に直交する仮想の基準平面Ｈを設定し、この基準平面Ｈ上において表面３２から表面３１に至るすべての直線に対して、ＰＣａパネル２のコンクリート部分を通過する通過長さの総和が、最低遮蔽寸法Ｓと同等以上となるように構成している。
【００１７】
例えば、図４において、内側に露出した目地材３を通過して放射線遮蔽壁１に直交する直線Ｘ１は、基準平面Ｈ上においてＰＣａパネル２のコンクリート部分を通過する長さの総和がａとなる。従って、ＰＣａパネル２では、目地部１２ｂにおいて表面３１から段差面１７までの板厚ａがＳ＝＜ａとなるように設定してある。同様に、外側に露出した目地材３を通過して放射線遮蔽壁１に直交する直線Ｘ２は、基準平面Ｈ上においてコンクリート部分を通過する長さの総和がｂとなる。従って、ＰＣａパネル２では、目地部１２ａにおいて段差面１４から表面３２までの板厚ｂがＳ＝＜ｂとなるように設定してある。また、コンクリート部分と目地材３とを交互に通過するように放射線遮蔽壁１に対して斜めとなる直線Ｘ３は、基準平面Ｈ上においてコンクリート部分を通過する長さの総和ｇがｃ＋ｄ＋ｅ＋ｆとなる。従って、ＰＣａパネル２では、長さｇが、Ｓ＝＜ｇ（＝ｃ＋ｄ＋ｅ＋ｆ）を満足するように目地部１２ａ，１２ｂの板厚ｗ２が設定してある。以下、同様にして幾何的に算出すれば、目地部１２ａ，１２ｂの板厚ｗ２を決定することができる。このように基準平面Ｈ上の直線Ｘ１、Ｘ２，Ｘ３すべてにおいてＰＣａパネル２のコンクリート部分を通る長さの総和がそれぞれ最低遮蔽寸法Ｓ以上に設定してあれば、目地材３の放射線遮蔽性能に関わらず、放射線遮蔽壁１としての放射線遮蔽性能を満たすことができる。
【００１８】
ＰＣａパネル２の外側となる表面（表面２３，３１）には、図４において、下側に２か所、ＰＣａパネル２の延在方向に所定の間隔を空けて、第一ファスナー４１が埋め込まれている。第一ファスナー４１は、ＰＣａパネル２の外側となる表面から板状部４１ａが突出するように形成されている。板状部４１ａは、その板面がＰＣａパネル２の外側となる表面と垂直となり、ＰＣａパネル２の延在方向と平行となるように配設されている。
【００１９】
ＰＣａパネル２には、図４において、上側に２か所、ＰＣａパネル２の延在方向に所定の間隔を空けて、第二ファスナー４２が埋め込まれている。第二ファスナー４２はボルトが嵌め込まれる孔を形成する金具である。
【００２０】
このように形成されているＰＣａパネル２は、大梁５１に配設された受鉄骨５２に第一ファスナー４１を載せるようにして配設する。受鉄骨５２の上部からは、ピン５３が突出しており、このピン５３を第一ファスナー４１の板状部４１ａに形成された孔に挿入する。また、ＰＣａパネル２の上部は、第二ファスナー４２と上階の大梁とをアングルを介して結合させる。受鉄骨５２は、大梁５１の長さ方向に沿った中心線Ｌから外れた位置（内側）に配設されているが、ＰＣａパネル２は、本体部１１を大梁５１よりに凹ませることで重心が大梁５１寄りとなるように形成されているので、大梁５１のねじれを小さくできる。
【００２１】
本実施の形態では、ＰＣａパネル２の並設方向に沿い、かつ本体部１１の表面２２，２３に直交する仮想の基準平面Ｈを設定し、この平面上において表面３２から表面３１に至るすべての直線に対して、ＰＣａパネル２を通過する通過長さの総和が、最低遮蔽寸法Ｓ以上となるように目地部１２ａ，１２ｂの厚さ方向の寸法を決定している。従って、目地材３の放射線遮蔽率を実験や高度な演算によって求めなくとも目地部１２ａ，１２ｂの放射線遮蔽性能を満たすことができ、製造コストを抑えることができる。更に、ＰＣａパネル２の本体部１１の板厚ｗ１は、コンクリートによる最低遮蔽寸法Ｓ以上であって、目地部１２ａ，１２ｂの板厚ｗ２より小さくなるように形成しているので、ＰＣａパネル２全体のコンクリート量が少なくて済み、製造コストを抑えることができる。
【００２２】
なお、外形が長方形のパネルを例示しているが、平行四辺形や台形であっても同様に目地部を構成することが可能である。
【符号の説明】
【００２３】
１    放射線遮蔽壁
２    プレキャストコンクリートパネル
３    目地材
１１    本体部
１２ａ，１２ｂ    目地部
１３    第一の端面
１４    段差面
１５    第二の端面
１６    第一の端面
１７    段差面
１８    第二の端面
２２，２３    表面
３１，３２    表面
【図１】
2018036200.tif 000003
【図２】
2018036200.tif 000004
【図３】
2018036200.tif 000005
【図４】
2018036200.tif 000006